(57)【要約】【課題】現金を厳正かつ正確に管理しつつ、顧客の支払金の入金及び釣銭の出金を行う。【解決手段】精算システムは、釣銭出金指示に基づいて釣銭を出金する釣銭出金部と、購入商品の購入金額を算出する購入金額算出部と、入金情報と、前記購入金額とに基づいて釣銭の金額を算出し、前記釣銭出金部に対して、前記釣銭のうち前記釣銭出金部からの出金分を出金するように前記釣銭出金指示を出力する釣銭算出部と、前記釣銭のうち、前記釣銭出金部が出金できない分に対応する釣銭情報を出力する出力部と、を備える。【選択図】図１
2012190240.tif 000002
【特許請求の範囲】
【請求項１】
釣銭出金指示に基づいて釣銭を出金する釣銭出金部と、
購入商品の購入金額を算出する購入金額算出部と、
入金情報と、前記購入金額とに基づいて釣銭の金額を算出し、前記釣銭出金部に対して、前記釣銭のうち前記釣銭出金部からの出金分を出金するように前記釣銭出金指示を出力する釣銭算出部と、
前記釣銭のうち、前記釣銭出金部が出金できない分に対応する釣銭情報を出力する出力部と、
を備える精算システム。
【請求項２】
前記釣銭出金部は硬貨を出金し、
前記釣銭情報は、前記釣銭のうちの紙幣分を含むことを特徴とする請求項１に記載の精算システム。
【請求項３】
前記釣銭出金部は紙幣を出金し、
前記釣銭情報は、前記釣銭のうちの硬貨分を含むことを特徴とする請求項１に記載の精算システム。
【請求項４】
前記釣銭出金部は、前記釣銭算出部から受け取った前記釣銭出金指示に基づく釣銭額のうち、未出金となっている釣銭に関する未出金情報を前記出力部に通知することを特徴とする請求項１乃至３のいずれかに記載の精算システム。
【請求項５】
入金された貨幣を計数し、計数結果を前記入金情報として前記釣銭算出部へ出力する入金計数部をさらに備えることを特徴とする請求項１乃至４のいずれかに記載の精算システム。
【請求項６】
前記入金情報の手入力を受け付ける手入力部をさらに備え、
前記釣銭算出部は、前記手入力部が受け付けた前記入金情報を用いて釣銭の金額を算出することを特徴とする請求項１乃至５のいずれかに記載の精算システム。
【請求項７】
入金情報を受け付ける入力部と、
購入商品の購入金額を算出する購入金額算出部と、
前記入金情報と、前記購入金額とに基づいて、釣銭の金額を算出する釣銭金額算出部と、
釣銭機に対して、前記釣銭のうち当該釣銭機からの出金分を出金するように指示する指示部と、
前記釣銭のうち、前記釣銭機が出金できない分に対応する釣銭情報を出力する出力部と、
を備えるレジスタ。
【請求項８】
前記釣銭機は硬貨釣銭機であり、
前記釣銭情報は、前記釣銭のうちの紙幣分を含むことを特徴とする請求項７に記載のレジスタ。
【請求項９】
前記釣銭機は紙幣釣銭機であり、
前記釣銭情報は、前記釣銭のうちの硬貨分を含むことを特徴とする請求項７に記載のレジスタ。
【請求項１０】
釣銭出金部、購入金額算出部、釣銭算出部、及び出力部を用いる精算方法であって、
前記購入金額算出部を用いて、購入商品の購入金額を算出する工程と、
前記釣銭算出部を用いて、入金情報と、前記購入金額とに基づいて釣銭の金額を算出し、前記釣銭のうちの前記釣銭出金部からの出金分を出金するように前記釣銭出金部に指示する工程と、
前記釣銭出金部を用いて、前記釣銭算出部からの指示に基づく釣銭を出金する工程と、
前記出力部を用いて、前記釣銭のうち、前記釣銭出金部が出金できない分に対応する釣銭情報を出力する工程と、
を備える精算方法。
【請求項１１】
前記釣銭出金部は硬貨を出金し、
前記釣銭情報は、前記釣銭のうちの紙幣分を含むことを特徴とする請求項１０に記載の精算方法。
【請求項１２】
前記釣銭出金部は紙幣を出金し、
前記釣銭情報は、前記釣銭のうちの硬貨分を含むことを特徴とする請求項１０に記載の精算方法。
【発明の詳細な説明】
【技術分野】
【０００１】
本発明は、顧客の支払金の入金及び釣銭の出金を行う精算システム、方法、及びこの精算システムに用いられるレジスタに関する。
【背景技術】
【０００２】
スーパーマーケットやコンビニエンスストア等の店舗には、紙幣及び硬貨の入出金を行う釣銭機と、顧客の購入商品の登録や釣銭機に対する釣銭の出金指示を行うレジスタとを備えた精算システムが設けられている。
【０００３】
一般に、このような精算システムには、釣銭先行モードと、入金確定モードの２つの動作モードがあり、動作モードを切り替えて使用されている（例えば特許文献１参照）。
【０００４】
釣銭先行モードでは、顧客の支払金の金額を係員が計数してレジスタに手入力し、レジスタは係員により入力された金額から購入商品の合計金額を減じて釣銭額を算出し、釣銭機に対して釣銭の出金指示を行う。釣銭機は、レジスタから指示された釣銭を出金する。釣銭の出金後、顧客の支払金が釣銭機に入金される。
【０００５】
一方、入金確定モードでは、顧客の支払金を係員が釣銭機に投入し、釣銭機は入金額を算出してレジスタに通知する。レジスタは釣銭機から通知された入金額から購入商品の合計金額を減じて釣銭額を算出し、釣銭機に釣銭の出金指示を行う。釣銭機は、レジスタから指示された釣銭を出金する。このように、入金確定モードは、顧客の支払金を釣銭機に入金し、釣銭機が支払金を識別・計数するため、釣銭先行モードと比較して釣銭出金までに要する時間は長くなるものの、現金を厳正に管理することができる。
【０００６】
このような入金確定モードは、紙幣の入出金を行う紙幣釣銭機と、硬貨の入出金を行う硬貨釣銭機との両方が設けられた精算システムで実施されており、紙幣釣銭機又は硬貨釣銭機のいずれか一方のみを設置している店舗では実施することができなかった。
【０００７】
また、紙幣釣銭機又は硬貨釣銭機が釣銭貨幣を出金している最中に、貨幣が足りなく（エンプティに）なったり、釣銭機が故障したりすると、釣銭の一部が出金されていない状態で釣銭機が停止する。この場合、レジ係員が、出金済みの貨幣を手計数し、足りない釣銭を計算して、ドロアなどから取り出すことになるが、貨幣の手計数や釣銭の計算に間違いが発生しやすいため、現金を正確に管理することが困難であった。
【先行技術文献】
【特許文献】
【０００８】
【特許文献１】特許第３３０８２４４号公報
【発明の概要】
【発明が解決しようとする課題】
【０００９】
本発明は、現金を厳正かつ正確に管理しつつ、顧客の支払金の入金及び釣銭の出金を行う精算システム、方法、及びこの精算システムに用いられるレジスタを提供することを目的とする。
【課題を解決するための手段】
【００１０】
本発明の一態様による精算システムは、釣銭出金指示に基づいて釣銭を出金する釣銭出金部と、購入商品の購入金額を算出する購入金額算出部と、入金情報と、前記購入金額とに基づいて釣銭の金額を算出し、前記釣銭出金部に対して、前記釣銭のうち前記釣銭出金部からの出金分を出金するように前記釣銭出金指示を出力する釣銭算出部と、前記釣銭のうち、前記釣銭出金部が出金できない分に対応する釣銭情報を出力する出力部と、を備えるものである。
【００１１】
本発明の一態様による精算システムにおいては、前記釣銭出金部は硬貨を出金し、前記釣銭情報は、前記釣銭のうちの紙幣分を含むことが好ましい。
【００１２】
本発明の一態様による精算システムにおいては、前記釣銭出金部は紙幣を出金し、前記釣銭情報は、前記釣銭のうちの硬貨分を含むことが好ましい。
【００１３】
本発明の一態様による精算システムにおいては、前記釣銭出金部は、前記釣銭算出部から受け取った前記釣銭出金指示に基づく釣銭額のうち、未出金となっている釣銭に関する未出金情報を前記出力部に通知することが好ましい。
【００１４】
本発明の一態様による精算システムにおいては、入金された貨幣を計数し、計数結果を前記入金情報として前記釣銭算出部へ出力する入金計数部をさらに備えることが好ましい。
【００１５】
本発明の一態様による精算システムにおいては、前記入金情報の手入力を受け付ける手入力部をさらに備え、前記釣銭算出部は、前記手入力部が受け付けた前記入金情報を用いて釣銭の金額を算出することが好ましい。
【００１６】
本発明の一態様によるレジスタは、入金情報を受け付ける入力部と、購入商品の購入金額を算出する購入金額算出部と、前記入金情報と、前記購入金額とに基づいて、釣銭の金額を算出する釣銭金額算出部と、釣銭機に対して、前記釣銭のうち当該釣銭機からの出金分を出金するように指示する指示部と、前記釣銭のうち、前記釣銭機が出金できない分に対応する釣銭情報を出力する出力部と、を備えるものである。
【００１７】
本発明の一態様によるレジスタにおいては、前記釣銭機は硬貨釣銭機であり、前記釣銭情報は、前記釣銭のうちの紙幣分を含むことが好ましい。
【００１８】
本発明の一態様によるレジスタにおいては、前記釣銭機は紙幣釣銭機であり、前記釣銭情報は、前記釣銭のうちの硬貨分を含むことが好ましい。
【００１９】
本発明の一態様による精算方法は、釣銭出金部、購入金額算出部、釣銭算出部、及び出力部を用いる精算方法であって、前記購入金額算出部を用いて、購入商品の購入金額を算出する工程と、前記釣銭算出部を用いて、入金情報と、前記購入金額とに基づいて釣銭の金額を算出し、前記釣銭のうちの前記釣銭出金部からの出金分を出金するように前記釣銭出金部に指示する工程と、前記釣銭出金部を用いて、前記釣銭算出部からの指示に基づく釣銭を出金する工程と、前記出力部を用いて、前記釣銭のうち、前記釣銭出金部が出金できない分に対応する釣銭情報を出力する工程と、を備えるものである。
【００２０】
本発明の一態様による精算方法においては、前記釣銭出金部は硬貨を出金し、前記釣銭情報は、前記釣銭のうちの紙幣分を含むことが好ましい。
【００２１】
本発明の一態様による精算方法においては、前記釣銭出金部は紙幣を出金し、前記釣銭情報は、前記釣銭のうちの硬貨分を含むことが好ましい。
【発明の効果】
【００２２】
本発明によれば、現金を厳正かつ正確に管理しつつ、顧客の支払金の入金及び釣銭の出金を行うことができる。
【図面の簡単な説明】
【００２３】
【図１】本発明の第１の実施形態に係る精算システムの外観図である。
【図２】同第１の実施形態に係る硬貨釣銭機のブロック構成図である。
【図３】同第１の実施形態に係るレジスタのブロック構成図である。
【図４】同第１の実施形態に係る精算処理プログラムを実行することで実現される機能ブロック図である。
【図５】同第１の実施形態に係る精算方法の一例を説明するタイミングチャートである。
【図６】同第１の実施形態に係る精算方法の一例を説明するタイミングチャートである。
【図７】同第１の実施形態に係る精算方法の一例を説明するタイミングチャートである。
【図８】同第１の実施形態に係る精算方法の一例を説明するタイミングチャートである。
【図９】同第１の実施形態に係る精算方法の一例を説明するタイミングチャートである。
【図１０】同第１の実施形態に係る精算方法の一例を説明するタイミングチャートである。
【図１１】本発明の第２の実施形態に係る精算システムの外観図である。
【図１２】同第２の実施形態に係る紙幣釣銭機のブロック構成図である。
【図１３】本発明の第３の実施形態に係る精算システムの外観図である。
【発明を実施するための形態】
【００２４】
以下、本発明の実施の形態を図面に基づいて説明する。
【００２５】
（第１の実施形態）図１に本発明の第１の実施形態に係る精算システムの外観を示す。精算システムは、硬貨の入出金処理を行う硬貨釣銭機１００と、顧客の購入商品の登録を行うレジスタ３００とを備えている。また、この精算システムは、紙幣や予備の硬貨を収納するドロアや小型金庫等（図示せず）を備えていてもよい。
【００２６】
図２は、硬貨釣銭機１００のブロック図であり、図１及び図２を用いて硬貨釣銭機１００の構成について説明する。
【００２７】
硬貨釣銭機１００は、外部から硬貨を受け入れる硬貨受入部１１４、硬貨受入部１１４から受け入れた受入硬貨の識別計数を行う硬貨識別部１０１、硬貨識別部１０１による識別結果に応じて受入硬貨を額面別に収納する硬貨収納部１０６、及び機内の貨幣を外部に払い出す硬貨払出部１１６を備える。
【００２８】
図１に示すように、硬貨釣銭機１００は前部上面に操作表示部１１２を有する筐体１１０を備える。筐体１１０の前部には硬貨受入部１１４及び硬貨払出部１１６が設けられている。
【００２９】
硬貨受入部１１４は受け入れた硬貨を１層１列状態で１枚ずつ機内へ取り込む。受入部１１４の後方には取り込まれた硬貨を搬送する入金搬送部１０３が延びている。
【００３０】
この入金搬送部１０３の途中には硬貨の識別・計数を行う硬貨識別部１０１と、分岐部１０４が設けられている。分岐部１０４は硬貨識別部１０１の識別結果に基づいて、リジェクト硬貨等の硬貨払出部１１６から払い出される（放出される）硬貨を出金搬送部１０８へ案内（搬送）する。
【００３１】
正常硬貨等の機内に収納される硬貨は入金搬送部１０３により硬貨収納部１０６へ搬送される。硬貨収納部１０６は硬貨を金種別に収納し、例えば入金搬送部１０３の上流側から高額順に硬貨を収納する。
【００３２】
出金搬送部１０８は硬貨収納部１０６から排出された硬貨を硬貨払出部１１６へ搬送する。また、出金搬送部１０８は、分岐部１０４から案内された硬貨を硬貨払出部１１６へ搬送する。
【００３３】
また、硬貨釣銭機１００には、各部の制御を行う制御部１３０が設けられている。制御部１３０は、レジスタ３００と通信可能に接続されており、様々な情報の送受信を行う。例えば、制御部１３０は、レジスタ３００から入金処理を開始する命令（入金コマンド）を受信する。また、制御部１３０は、入金硬貨の計数結果をレジスタ３００へ送信する。
【００３４】
また、制御部１３０は、入金硬貨にリジェクト硬貨が含まれていた場合に、リジェクト硬貨が含まれていたことをレジスタ３００に通知する。さらに、このとき、制御部１３０は、リジェクト硬貨が含まれていたことを操作表示部１１２に表示したり、リジェクト硬貨が払い出された硬貨払出部１１６を照らすランプ等の照明部（図示せず）を点滅させたりしてもよい。
【００３５】
また、制御部１３０は、レジスタ３００から、釣銭として出金する硬貨の金額を含む釣銭出金指示を受信する。また、制御部１３０は、釣銭出金指示に基づく釣銭硬貨の出金が完了すると、レジスタ３００へ出金完了を通知する。
【００３６】
また、制御部１３０は、釣銭硬貨の出金中に硬貨収納部１０６の収納枚数がゼロ（エンプティ）になったり、エラーが生じたりして、レジスタ３００から出金指示された釣銭硬貨を出金できなかった場合に、出金できていない分の釣銭硬貨の金額を示す未出金情報を作成して、レジスタ３００へ送信する。各硬貨収納部１０６の硬貨排出口には出金枚数をカウントするセンサが設けられており、このセンサのカウント値から途中まで出金した金額が求まる。この金額と、出金指示された釣銭硬貨の金額との差分から、出金できていない分の釣銭硬貨の金額を求めることができる。
【００３７】
図３にレジスタ３００のブロック構成を示す。図１及び図３に示すように、レジスタ３００は、各種情報を表示する表示部３０２と、係員から各種情報や指示についての手入力を受け付けるキーボード３０４と、取引内容を印字したレシートを出力するプリンタ３０６と、硬貨釣銭機１００と通信可能に接続された通信部３０８と、演算制御部３１０と、精算処理プログラムを格納しているメモリ３１２とを備えている。
【００３８】
キーボード３０４はテンキーを有しており、顧客の支払い貨幣のうち硬貨釣銭機１００に入金できない貨幣についての入金情報の手入力を受けつけることができる。ここで、硬貨釣銭機１００に入金できない貨幣とは、紙幣、リジェクト硬貨、金券等である。
【００３９】
また、レジスタ３００は、顧客の購入商品に付されたバーコードを読み取る読取部（図示せず）を備えている。読取部がバーコードを読み取ったり、係員がキーボード３０４から手入力したりすることで、レジスタ３００は顧客の購入商品の商品情報を取得して登録することができる。
【００４０】
図１に示すように、レジスタ３００は、顧客に向けた表示部（カスタマーディスプレイ）３０２ａを備えていてもよい。また、表示部３０２をタッチパネルにしてもよく、その場合、係員から顧客購入商品の商品情報や、硬貨釣銭機１００に入金できない貨幣についての入金情報等の入力を受けつけることができる。
【００４１】
演算制御部３１０は、レジスタ３００の各部に接続されており、データの授受を行ったり、動作の制御を行ったりする。また、演算制御部３１０は、通信部３０８から硬貨釣銭機１００へ入金コマンドを送信することができる。
【００４２】
また、演算制御部３１０は、メモリ３１２に格納されている精算処理プログラムを実行する。図４に、演算制御部３１０が精算処理プログラムを実行することで実現される機能ブロック図を示す。精算処理プログラムの実行により、購入金額算出部３２０、釣銭算出部３２２、及び出力部３２４が実現される。
【００４３】
購入金額算出部３２０は、読取部等を介して取得した商品情報を用いて、顧客の購入商品の購入金額（商品が複数ある場合は合計金額）を算出する。例えば、メモリ３１２に商品情報とその金額との組合せを有するテーブルを格納しておき、購入金額算出部３２０が、商品情報を用いてテーブルを検索することで、購入商品の金額を求めることができる。
【００４４】
釣銭算出部３２２は、通信部３０８を介して硬貨釣銭機１００から受け取った入金硬貨の計数結果と、キーボード３０４を介して係員から手入力された入金情報とを加算して入金総額を算出する。そして、釣銭算出部３２２は、入金総額から、購入金額算出部３２０が算出した購入金額を減じて、釣銭額を算出する。さらに釣銭算出部３２２は、算出した釣銭額を紙幣分と硬貨分とに分割し、通信部３０８を介して、硬貨分に対応した釣銭出金指示を硬貨釣銭機１００へ出力する。また、釣銭算出部３２２は、釣銭のうちの紙幣分に対応した釣銭紙幣情報を出力部３２４に通知する。
【００４５】
例えば、釣銭算出部３２２は、釣銭額が１２４０円であった場合、２４０円（下３桁）の釣銭硬貨を出金する釣銭出金指示を硬貨釣銭機１００へ出力し、１０００円の釣銭紙幣に対応した釣銭紙幣情報を出力部３２４に通知する。
【００４６】
出力部３２４は、釣銭算出部３２２から受け取った釣銭紙幣情報を、硬貨釣銭機１００から出金できない釣銭を表す未出金釣銭情報として表示部３０２へ出力して表示させる。また、出力部３２４は、硬貨釣銭機１００から、通信部３０８を介して、出金できていない分の釣銭硬貨の金額を示す未出金情報を受信した場合は、この未出金情報も未出金釣銭情報として表示部３０２へ出力して表示させる。未出金釣銭情報は金額でなく、金種別枚数でもよい。
【００４７】
係員は、表示部３０２に表示されている未出金釣銭情報に基づいて、釣銭紙幣を確認し、ドロア（図示せず）から紙幣を取り出して顧客へ手渡す。
【００４８】
また、硬貨釣銭機１００が釣銭硬貨を出金している最中に、硬貨が足りなく（エンプティに）なったり、硬貨釣銭機１００が故障したりして、釣銭の一部が出金されていない状態で硬貨釣銭機１００が停止した場合、出金できていない分の釣銭硬貨についての情報が表示部３０２に表示される。係員は、表示部３０２の表示内容に基づいて、予備の硬貨を収納しているドロア（図示せず）から硬貨を取り出し、硬貨釣銭機１００の硬貨払出部１１６に既に払い出されている硬貨とあわせて顧客へ手渡す。
【００４９】
硬貨釣銭機のエンプティやエラー時に、係員が硬貨払出部に払い出されている硬貨を手計数し、足りない釣銭を計算してドロアなどから取り出す場合は、釣銭の計算間違いが発生するおそれがあり、現金を正確に管理できなかった。しかし、本実施形態では、釣銭紙幣や、出金できていない分の釣銭硬貨についての情報を表示部３０２に表示できる。そのため、現金を厳正かつ正確に管理しつつ、顧客の支払金の入金及び釣銭の出金を行うことができる。
【００５０】
次に、このような精算システムを用いた精算方法について説明する。
【００５１】
まず、顧客の支払い金が硬貨のみであり、かつ支払い硬貨の中にリジェクト硬貨が含まれていない場合について、図５に示すタイミングチャートを用いて説明する。
【００５２】
（ステップＳ１０１）顧客が購入する商品の商品情報がレジスタ３００に登録され、（購入金額算出部３２０により）購入金額が算出される。
【００５３】
（ステップＳ１０２）レジスタ３００が硬貨釣銭機１００に対して入金コマンドを送信する。硬貨釣銭機１００は入金コマンドを受信すると、硬貨の入金を待ち受ける状態になる。
【００５４】
（ステップＳ１０３）顧客の支払い硬貨が硬貨釣銭機１００に入金される。硬貨釣銭機１００は、硬貨の識別・計数を含む入金処理を行う。
【００５５】
（ステップＳ１０４）硬貨釣銭機１００が、入金硬貨の計数結果をレジスタ３００へ送信する。
【００５６】
（ステップＳ１０５）レジスタ３００の釣銭算出部３２２が、ステップＳ１０４において硬貨釣銭機１００から受信した入金硬貨の計数結果から入金総額を算出する。レジスタ３００の表示部３０２やカスタマーディスプレイに、この入金総額が表示される。
【００５７】
（ステップＳ１０６）入金総額が確定される。例えば、係員がキーボード３０４を操作してレジスタ３００に対して入金確定指示を与えてもよいし、硬貨釣銭機１００への追加入金がなく、入金総額が所定時間変化しなかった場合に自動的に入金総額を確定してもよい。なお、このとき、確定した入金総額は購入金額以上である。
【００５８】
（ステップＳ１０７）レジスタ３００の釣銭算出部３２２が、入金総額及び購入金額に基づいて、釣銭額を算出する。
【００５９】
（ステップＳ１０８）レジスタ３００の釣銭算出部３２２が、釣銭額のうちの硬貨分の出金を指示する釣銭出金指示を硬貨釣銭機１００へ出力する。なお、この図に示す例では、顧客の支払い金が硬貨のみであるため、釣銭も硬貨のみで構成される金額であるとする。
【００６０】
（ステップＳ１０９）硬貨釣銭機１００が、釣銭出金指示に基づいて、釣銭硬貨を出金する。係員は、出金された釣銭硬貨を顧客に手渡す。
【００６１】
（ステップＳ１１０）硬貨釣銭機１００が、釣銭硬貨の出金完了をレジスタ３００に通知する。
【００６２】
（ステップＳ１１１）プリンタ３０６が、顧客の購入商品の商品情報、購入金額、顧客の支払い額、釣銭額等を含む取引内容を印字したレシートを出力する。係員は、出力されたレシートを顧客に手渡す。
【００６３】
次に、顧客の支払い金に紙幣が含まれており、かつ支払い硬貨の中にリジェクト硬貨が含まれていない場合について、図６に示すタイミングチャートを用いて説明する。
【００６４】
（ステップＳ２０１）顧客が購入する商品の商品情報がレジスタ３００に登録され、（購入金額算出部３２０により）購入金額が算出される。
【００６５】
（ステップＳ２０２）レジスタ３００が硬貨釣銭機１００に対して入金コマンドを送信する。硬貨釣銭機１００は入金コマンドを受信すると、硬貨の入金を待ち受ける状態になる。
【００６６】
（ステップＳ２０３）顧客の支払い硬貨が硬貨釣銭機１００に入金される。硬貨釣銭機１００は、硬貨の識別・計数を含む入金処理を行う。
【００６７】
（ステップＳ２０４）硬貨釣銭機１００が、入金硬貨の計数結果をレジスタ３００へ送信する。
【００６８】
（ステップＳ２０５）係員が、レジスタ３００のキーボード３０４を用いて、顧客の支払い紙幣についての入金情報を手入力する。
【００６９】
（ステップＳ２０６）レジスタ３００の釣銭算出部３２２が、ステップＳ２０４において硬貨釣銭機１００から受け取った入金硬貨の計数結果と、ステップＳ２０５においてキーボード３０４を介して係員から手入力された入金情報とを加算して入金総額を算出する。レジスタ３００の表示部３０２やカスタマーディスプレイに、この入金総額が表示される。
【００７０】
（ステップＳ２０７）入金総額が確定される。
【００７１】
（ステップＳ２０８）レジスタ３００の釣銭算出部３２２が、入金総額及び購入金額に基づいて、釣銭額を算出する。
【００７２】
（ステップＳ２０９）レジスタ３００の釣銭算出部３２２が、釣銭額のうちの硬貨分の出金を指示する釣銭出金指示を硬貨釣銭機１００へ出力する。
【００７３】
（ステップＳ２１０）釣銭算出部３２２が、釣銭のうちの紙幣分に対応した釣銭紙幣情報を出力部３２４に通知する。出力部３２４は、釣銭算出部３２２から通知された釣銭紙幣情報を未出金釣銭情報として表示部３０２へ出力して表示させる。
【００７４】
係員は、表示部３０２に表示された未出金釣銭情報を確認して、ドロア（図示せず）から釣銭紙幣を取り出す。
【００７５】
表示部３０２は、次の顧客（取引）の購入商品の商品情報が登録されるまで未出金釣銭情報を表示していてもよいし、係員が未出金釣銭情報の表示終了指示をキーボード３０４等から入力してもよい。
【００７６】
なお、釣銭紙幣がない場合、本ステップは省略される。
【００７７】
（ステップＳ２１１）硬貨釣銭機１００が、釣銭出金指示に基づいて、釣銭硬貨を出金する。係員は、出金された釣銭硬貨と、ステップＳ２１０でドロア（図示せず）から取り出した釣銭紙幣とを顧客に手渡す。
【００７８】
（ステップＳ２１２）硬貨釣銭機１００が、釣銭硬貨の出金完了をレジスタ３００に通知する。
【００７９】
（ステップＳ２１３）プリンタ３０６が、顧客の購入商品の商品情報、購入金額、顧客の支払い額、釣銭額等を含む取引内容を印字したレシートを出力する。係員は、出力されたレシートを顧客に手渡す。
【００８０】
このように、紙幣釣銭機が設けられていない精算システムを用いて、いわゆる入金確定モードで、顧客の支払金の入金、及び釣銭出金を行うことができる。硬貨については、硬貨釣銭機１００を使用するため、正確な入出金処理を行うことができる。また、硬貨釣銭機１００で出金できない釣銭紙幣についての情報を表示部３０２に表示するため、係員は表示された情報を確認しながら、金額を間違えずに釣銭紙幣を取り扱うことができる。
【００８１】
次に、顧客の支払い金が硬貨のみであり、かつ支払い硬貨の中にリジェクト硬貨が含まれている場合について、図７に示すタイミングチャートを用いて説明する。
【００８２】
（ステップＳ３０１）顧客が購入する商品の商品情報がレジスタ３００に登録され、（購入金額算出部３２０により）購入金額が算出される。
【００８３】
（ステップＳ３０２）レジスタ３００が硬貨釣銭機１００に対して入金コマンドを送信する。硬貨釣銭機１００は入金コマンドを受信すると、硬貨の入金を待ち受ける状態になる。
【００８４】
（ステップＳ３０３）顧客の支払い硬貨が硬貨釣銭機１００に入金される。硬貨釣銭機１００は、硬貨の識別・計数を含む入金処理を行う。
【００８５】
（ステップＳ３０４）硬貨釣銭機１００が、リジェクト硬貨を硬貨払出部１１６から放出する。
【００８６】
（ステップＳ３０５）硬貨釣銭機１００が、（リジェクト硬貨を含まない）入金硬貨の計数結果をレジスタ３００へ送信する。
【００８７】
（ステップＳ３０６）硬貨釣銭機１００が、リジェクト硬貨が含まれていたことをレジスタ３００に通知する。
【００８８】
（ステップＳ３０７）硬貨釣銭機１００が、リジェクト硬貨が含まれていたことを操作表示部１１２に表示したり、硬貨払出部１１６を照らすランプ等の照明部（図示せず）を点滅させたりして、リジェクト硬貨の発生を係員に報知する。
【００８９】
（ステップＳ３０８）係員がリジェクト硬貨を目視確認し、リジェクト硬貨についての入金情報（例えば金種別枚数や金額）をキーボード３０４から手入力する。このリジェクト硬貨は、専用の収納部に収納される。
【００９０】
（ステップＳ３０９）レジスタ３００の釣銭算出部３２２が、ステップＳ３０５において硬貨釣銭機１００から受信した入金硬貨の計数結果と、ステップＳ３０８においてキーボード３０４を介して係員から手入力された入金情報とを加算して入金総額を算出する。レジスタ３００の表示部３０２やカスタマーディスプレイに、この入金総額が表示される。
【００９１】
以降のステップＳ３１０〜Ｓ３１５は、図５に示すステップＳ１０６〜Ｓ１１１と同様であるため、説明を省略する。
【００９２】
このように、硬貨釣銭機１００に入金できないリジェクト硬貨については、係員が目視確認した上で、レジスタ３００からその情報を手入力して入金処理することができる。
【００９３】
次に、硬貨釣銭機１００が釣銭硬貨を出金している途中で、エンプティ又はエラーにより出金動作が停止した場合について、図８に示すタイミングチャートを用いて説明する。
【００９４】
ステップＳ４０１〜Ｓ４０８は、図５に示すステップＳ１０１〜Ｓ１０８と同様であるため、説明を省略する。
【００９５】
（ステップＳ４０９）硬貨釣銭機１００が、釣銭出金指示に基づいて、釣銭硬貨の出金を開始する。
【００９６】
（ステップＳ４１０）釣銭硬貨の出金中にエンプティ又はエラーが発生し、硬貨釣銭機１００の出金動作が停止する。
【００９７】
（ステップＳ４１１）硬貨釣銭機１００が、出金できていない分の釣銭硬貨の金額を示す未出金情報を作成して、レジスタ３００へ送信する。
【００９８】
（ステップＳ４１２）レジスタ３００の出力部３２４が、通信部３０８を介して、硬貨釣銭機１００から未出金情報を受信する。そして、出力部３２４が、この未出金情報を未出金釣銭情報として表示部３０２へ出力して表示させる。
【００９９】
係員は、表示部３０２に表示されている未出金釣銭情報に基づいて、未出金となっている釣銭硬貨を、予備の硬貨を収納しているドロア（図示せず）から取り出し、硬貨釣銭機１００の硬貨払出部１１６に既に払い出されている硬貨とあわせて顧客へ手渡す。
【０１００】
（ステップＳ４１３）プリンタ３０６が、顧客の購入商品の商品情報、購入金額、顧客の支払い額、釣銭額等を含む取引内容を印字したレシートを出力する。係員は、出力されたレシートを顧客に手渡す。
【０１０１】
なお、この図に示す例では、レジスタ３００は硬貨釣銭機１００から出金完了の通知を受け取っていない。従って、係員が、キーボード３０４を用いて取引終了（レシート出力）の指示を入力し、この指示に基づいてプリンタ３０６がレシートを出力するようにしてもよい。
【０１０２】
このように、釣銭硬貨の出金途中に、エンプティ又はエラーにより硬貨釣銭機１００の出金動作が停止した場合、未出金となっている釣銭硬貨の情報を表示部３０２に表示することができる。係員は、表示部３０２に表示された情報を確認して、足りない釣銭硬貨をドロア（図示せず）から取り出せばよい。従って、出金済みの硬貨を手計数し、足りない釣銭額を係員自ら計算する場合と比較して、計数や計算の間違い発生を防止し、現金を正確に管理することができる。
【０１０３】
なお、硬貨釣銭機１００は、各硬貨収納部１０６の硬貨排出口に設けられた出金枚数をカウントするセンサ（図示せず）の検出結果を用いて、未出金情報を作成する。しかし、硬貨釣銭機１００の停止の要因が、硬貨排出口での硬貨詰まりや、出金搬送部１０８における搬送異常等のエラーであった場合、未出金情報の正確性が低下し得る。従って、このような要因で硬貨釣銭機１００が停止した場合は、硬貨釣銭機１００のエラーを解除した上で、出金済みの硬貨を全て硬貨釣銭機１００に入金し、再度、釣銭硬貨を出金するようにしてもよい。
【０１０４】
本実施形態に係る精算システムは、図５〜図８に示す処理の組合せにより、様々な状況に対応することができる。例えば、顧客の支払い金に紙幣が含まれており、かつ支払い硬貨の中にリジェクト硬貨が含まれている場合は、図６に示す処理と図７に示す処理とを組み合わせた処理となる。具体的には、釣銭算出部３２２が、係員によりキーボード３０４から手入力された顧客の支払い紙幣についての入金情報及びリジェクト硬貨についての入金情報と、硬貨釣銭機１００から受信した入金硬貨の計数結果とを用いて入金総額を算出し、この入金総額がステップＳ２０６（Ｓ３０９）でレジスタ３００の表示部３０２やカスタマーディスプレイに表示される。
【０１０５】
また、釣銭紙幣がある状態で、硬貨釣銭機１００がエンプティ又はエラーにより停止した場合は、図６に示す処理と図８に示す処理とを組み合わせた処理となる。具体的には、ステップＳ２１０（Ｓ４１２）において、釣銭のうちの紙幣分に対応した釣銭紙幣情報と、硬貨釣銭機１００が作成した未出金情報とが、未出金釣銭情報として表示部３０２に表示される。
【０１０６】
ここまでは、顧客の支払い貨幣の入金の後に釣銭を出金する、いわゆる入金確定モードで精算処理を行う精算システム及び精算方法について説明したが、本実施形態に係る精算システムは、釣銭の出金後に、顧客の支払い貨幣の入金を行う、いわゆる釣銭先行モードでの精算処理を行うこともできる。
【０１０７】
釣銭先行モードでは、レジスタ３００の釣銭算出部３２２は、キーボード３０４から入力された入金情報から入金総額を求め、釣銭額を算出する。また、硬貨釣銭機１００は、入金硬貨の計数結果をレジスタ３００へ送信しなくてもよい。
【０１０８】
釣銭先行モードでの精算処理を図９及び図１０を用いて説明する。まず、釣銭が硬貨のみとなる場合について、図９に示すタイミングチャートを用いて説明する。
【０１０９】
（ステップＳ５０１）顧客が購入する商品の商品情報がレジスタ３００に登録され、（購入金額算出部３２０により）購入金額が算出される。
【０１１０】
（ステップＳ５０２）顧客の支払い貨幣（硬貨及び紙幣）を係員が計数し、入金情報としてキーボード３０４から手入力する。
【０１１１】
（ステップＳ５０３）レジスタ３００が、購入金額及び入金情報から釣銭額を算出する。
【０１１２】
（ステップＳ５０４）レジスタ３００の釣銭算出部３２２が、釣銭額のうちの硬貨分の出金を指示する釣銭出金指示を硬貨釣銭機１００へ出力する。
【０１１３】
（ステップＳ５０５）釣銭算出部３２２が、釣銭のうちの紙幣分に対応した釣銭紙幣情報を出力部３２４に通知する。出力部３２４は、釣銭算出部３２２から通知された釣銭紙幣情報を未出金釣銭情報として表示部３０２へ出力して表示させる。
【０１１４】
係員は、表示部３０２に表示された未出金釣銭情報を確認して、ドロア（図示せず）から釣銭紙幣を取り出す。
【０１１５】
なお、釣銭紙幣がない場合、本ステップは省略される。
【０１１６】
（ステップＳ５０６）硬貨釣銭機１００が、釣銭出金指示に基づいて、釣銭硬貨を出金する。係員は、出金された釣銭硬貨と、ステップＳ５０５でドロア（図示せず）から取り出した釣銭紙幣とを顧客に手渡す。
【０１１７】
（ステップＳ５０７）硬貨釣銭機１００が、釣銭硬貨の出金完了をレジスタ３００に通知する。
【０１１８】
（ステップＳ５０８）プリンタ３０６が、顧客の購入商品の商品情報、購入金額、顧客の支払い額、釣銭額等を含む取引内容を印字したレシートを出力する。係員は、出力されたレシートを顧客に手渡す。
【０１１９】
（ステップＳ５０９）係員が、顧客の支払い硬貨を硬貨釣銭機１００に入金する。また、係員は、顧客の支払い紙幣をドロア（図示せず）に収納する。
【０１２０】
このような釣銭先行モードでの精算処理により、図５〜図８に示す入金確定モードでの精算処理と比較して、釣銭を顧客へ速やかに渡すことができる。また、硬貨釣銭機１００が出金できない釣銭紙幣についても、釣銭紙幣の情報を表示部３０２に表示するため、係員は、金額を間違えずに釣銭紙幣を取り扱うことができる。
【０１２１】
次に、硬貨釣銭機１００が釣銭硬貨を出金している途中で、エンプティ又はエラーにより出金動作が停止した場合について、図１０に示すタイミングチャートを用いて説明する。
【０１２２】
ステップＳ６０１〜Ｓ６０５は、図９に示すステップＳ５０１〜Ｓ５０５と同様であるため、説明を省略する。
【０１２３】
（ステップＳ６０６）硬貨釣銭機１００が、釣銭出金指示に基づいて、釣銭硬貨の出金を開始する。
【０１２４】
（ステップＳ６０７）釣銭硬貨の出金中にエンプティ又はエラーが発生し、硬貨釣銭機１００の出金動作が停止する。
【０１２５】
（ステップＳ６０８）硬貨釣銭機１００が、出金できていない分の釣銭硬貨の金額を示す未出金情報を作成して、レジスタ３００へ送信する。
【０１２６】
（ステップＳ６０９）レジスタ３００の出力部３２４が、通信部３０８を介して、硬貨釣銭機１００から未出金情報を受信する。そして、出力部３２４が、この未出金情報を、釣銭のうちの紙幣分に対応した釣銭紙幣情報とともに、未出金釣銭情報として表示部３０２へ出力して表示させる。これにより、表示部３０２に表示される未出金釣銭情報が更新される。
【０１２７】
係員は、表示部３０２に表示されている未出金釣銭情報に基づいて、未出金となっている釣銭硬貨を、予備の硬貨を収納しているドロア（図示せず）から取り出し、ステップＳ６０５でドロア（図示せず）から取り出した釣銭紙幣及び硬貨釣銭機１００の硬貨払出部１１６に既に払い出されている硬貨とあわせて顧客へ手渡す。
【０１２８】
（ステップＳ６１０）プリンタ３０６が、顧客の購入商品の商品情報、購入金額、顧客の支払い額、釣銭額等を含む取引内容を印字したレシートを出力する。係員は、出力されたレシートを顧客に手渡す。
【０１２９】
（ステップＳ６１１）係員が、顧客の支払い硬貨を硬貨釣銭機１００に入金する。また、係員は、顧客の支払い紙幣をドロア（図示せず）に収納する。ステップＳ６０７においてエラーが発生していた場合は、エラー解除を行ってから入金を行う。
【０１３０】
このように、釣銭硬貨の出金途中に、エンプティ又はエラーにより硬貨釣銭機１００の出金動作が停止した場合、未出金となっている釣銭硬貨の情報を表示部３０２に表示することができる。係員は、表示部３０２に表示された情報を確認して、足りない釣銭硬貨をドロア（図示せず）から取り出せばよい。従って、出金済みの硬貨を手計数し、足りない釣銭を係員自ら計算する場合と比較して、計数や計算の間違い発生を防止し、現金を正確に管理することができる。
【０１３１】
上述したように、本実施形態によれば、硬貨釣銭機１００の出金できない釣銭貨幣、すなわち釣銭紙幣や、エンプティやエラーにより未出金となっている釣銭硬貨、についての情報を表示部３０２に表示することができる。係員は、表示部３０２の表示を確認しながら、硬貨釣銭機１００の出金できない釣銭貨幣を、ドロア（図示せず）等から正確に取り出すことができる。従って、現金を厳正かつ正確に管理しつつ、顧客の支払金の入金及び釣銭の出金を行うことができる。
【０１３２】
なお、ドロアに釣銭用の紙幣が無い場合に、係員がキーボード３０４から指示することにより、レジスタ３００の釣銭算出部３２２が、釣銭のうちの紙幣分も硬貨として出金（代替出金）するように、硬貨釣銭機１００に対して釣銭出金指示を出力できるようにしてもよい。
【０１３３】
（第２の実施形態）上記第１の実施形態に係る精算システムは、紙幣釣銭機を備えておらず、硬貨釣銭機１００及びレジスタ３００を有するものであったが、図１１に示すように、硬貨釣銭機を備えておらず、紙幣釣銭機２００及びレジスタ３００を有する精算システムでもよい。
【０１３４】
図１２は、紙幣釣銭機２００のブロック図であり、図１１及び図１２を用いて紙幣釣銭機２００の構成について説明する。
【０１３５】
紙幣釣銭機２００は、外部から紙幣を受け入れる受入部２１４、受入部２１４から受け入れた紙幣の識別計数を行う識別部２０１、識別部２０１による識別結果に応じて紙幣を金種別に収納する収納部２０６、及び機内の紙幣を外部に払い出す払出部２１６を備える。
【０１３６】
紙幣釣銭機２００は、筐体２１０と、この筐体２１０内の略中央部に設けられた環状の周回搬送部２０３ａとを備えている。また、受入部２１４、収納部２０６、払出部２１６、出金リジェクト部２０４、及び回収カセット２０７が、周回搬送部２０３ａの外周を取り囲むように配置されている。
【０１３７】
また、受入部２１４、各収納部２０６、払出部２１６、出金リジェクト部２０４、及び回収カセット２０７と、周回搬送部２０３ａとの間を接続する紙幣の接続搬送部２０３ｂがそれぞれ形成されている。周回搬送部２０３ａには、通過する紙幣の識別・計数を行う識別部２０１が設けられている。
【０１３８】
また、周回搬送部２０３ａと各接続搬送部２０３ｂとの間で紙幣の搬送経路を切り替える経路切替部（図示せず）が周回搬送部２０３ａに沿って配置されている。
【０１３９】
筐体２１０の前面には受入部２１４の受入口２１４ａと、払出部２１６の取出口２１６ａとが設けられている。回収カセット２０７は筐体２１０に対して着脱自在に取り付けられている。また、筐体２１０の前部上面に操作表示部２１２が設けられている。
【０１４０】
受入部２１４は受入口２１４ａに挿入された紙幣を１枚ずつ取り込んで、周回搬送部２０３ａ側へ繰り出す。各収納部２０６は、識別部２０１の識別結果に基づいて紙幣を金種別に収納する。払出部２１６は、各収納部２０６から取り出された紙幣を取出口２１６ａより放出する。
【０１４１】
出金リジェクト部２０４は、収納部２０６から繰り出された紙幣のうち、斜行等により識別部２０１で識別のできない紙幣を出金リジェクト紙幣として収納する。また、受入部２１４から取り込まれた紙幣のうち、汚損等により識別部２０１で識別のできない紙幣はリジェクト紙幣として払出部２１６に返却される。
【０１４２】
また、紙幣釣銭機２００には、各部の制御を行う制御部２３０が設けられている。制御部２３０は、レジスタ３００と通信可能に接続されており、様々な情報の送受信を行う。例えば、制御部２３０は、レジスタ３００から入金処理を開始する命令（入金コマンド）を受信する。また、制御部２３０は、入金紙幣の計数結果をレジスタ３００へ送信する。
【０１４３】
また、制御部２３０は、入金紙幣にリジェクト紙幣が含まれていた場合に、リジェクト紙幣が含まれていたことをレジスタ３００に通知する。さらに、このとき、制御部２３０は、リジェクト紙幣が含まれていたことを操作表示部２１２に表示してもよい。
【０１４４】
また、制御部２３０は、レジスタ３００から、釣銭として出金する紙幣の金額を含む釣銭出金指示を受信する。また、制御部２３０は、釣銭出金指示に基づく釣銭紙幣の出金が完了すると、レジスタ３００へ出金完了を通知する。
【０１４５】
また、制御部２３０は、釣銭紙幣の出金中に収納部２０６の収納枚数がゼロ（エンプティ）になったり、エラーが生じたりして、レジスタ３００から出金指示された釣銭紙幣を出金できなかった場合に、出金できていない分の釣銭紙幣の金額を示す未出金情報を作成して、レジスタ３００へ送信する。各収納部２０６から繰り出された紙幣は識別部２０１で識別されるため、識別部２０１の識別結果から途中まで出金した金額が求まる。この金額と、出金指示された釣銭紙幣の金額との差分から、出金できていない分の釣銭紙幣の金額を求めることができる。
【０１４６】
レジスタ３００の釣銭算出部３２２は、通信部３０８を介して紙幣釣銭機２００から受け取った入金紙幣の計数結果と、キーボード３０４を介して係員から手入力された入金情報とを加算して入金総額を算出する。そして、釣銭算出部３２２は、入金総額から、購入金額算出部３２０が算出した購入金額を減じて、釣銭額を算出する。さらに釣銭算出部３２２は、算出した釣銭額を紙幣分と硬貨分とに分割し、通信部３０８を介して、紙幣分に対応した釣銭出金指示を紙幣釣銭機２００へ出力する。また、釣銭算出部３２２は、釣銭のうちの硬貨分に対応した釣銭硬貨情報を出力部３２４に通知する。
【０１４７】
例えば、釣銭算出部３２２は、釣銭額が３２４０円であった場合、３０００円の釣銭紙幣を出金する釣銭出金指示を紙幣釣銭機２００へ出力し、２４０円（下３桁）の釣銭硬貨に対応した釣銭硬貨情報を出力部３２４に通知する。
【０１４８】
出力部３２４は、釣銭算出部３２２から受け取った釣銭硬貨情報を未出金釣銭情報として表示部３０２へ出力して表示させる。また、出力部３２４は、紙幣釣銭機２００から、通信部３０８を介して、出金できていない分の釣銭紙幣の金額を示す未出金情報を受信した場合は、この未出金情報も未出金釣銭情報として表示部３０２へ出力して表示させる。未出金釣銭情報は金額でなく、金種別枚数でもよい。
【０１４９】
係員は、表示部３０２に表示されている未出金釣銭情報に基づいて、釣銭硬貨を確認し、ドロア（図示せず）から硬貨を取り出して顧客へ手渡す。
【０１５０】
また、紙幣釣銭機２００が釣銭紙幣を出金している最中に、紙幣が足りなく（エンプティに）なったり、紙幣釣銭機１００が故障したりして、釣銭の一部が出金されていない状態で紙幣釣銭機１００が停止した場合、出金できていない分の釣銭紙幣についての情報が表示部３０２に表示される。係員は、表示部３０２の表示内容に基づいて、予備の紙幣を収納しているドロア（図示せず）から紙幣を取り出し、紙幣釣銭機２００の取出口２１６ａから取り出した紙幣とあわせて顧客へ手渡す。
【０１５１】
本実施形態に係る精算システムは、上記第１の実施形態に係る硬貨釣銭機１００を紙幣釣銭機２００に置き換えたものに相当し、図５〜図１０と同様の精算処理を行うことができる。
【０１５２】
本実施形態によれば、釣銭硬貨や、出金できていない分の釣銭紙幣についての情報を表示部３０２に表示できる。そのため、現金を厳正かつ正確に管理しつつ、顧客の支払金の入金及び釣銭の出金を行うことができる。
【０１５３】
（第３の実施形態）精算システムは、図１３に示すように、硬貨釣銭機１００、紙幣釣銭機２００、及びレジスタ３００を備える構成にしてもよい。紙幣釣銭機２００の制御部２３０は、硬貨釣銭機１００の制御部１３０から入金硬貨の計数結果を受け取り、入金紙幣の計数結果と加算して、入金貨幣の金額を算出し、レジスタ３００に通知する。
【０１５４】
硬貨釣銭機１００／紙幣釣銭機２００は、釣銭硬貨／釣銭紙幣の出金中にエンプティやエラーにより出金動作が停止した場合、未出金となっている釣銭硬貨／釣銭紙幣の金額を示す未出金情報を作成して、レジスタ３００に出力する。レジスタ３００の出力部３２４は、この未出金情報を未出金釣銭情報として表示部３０２へ出力して表示させる。係員は、表示部３０２に表示された情報を確認しながら、足りない釣銭硬貨／釣銭紙幣を、金額を間違えず正確にドロア（図示せず）から取り出すことができる。
【０１５５】
このように、本実施形態によれば、出金できていない分の釣銭硬貨／釣銭紙幣についての情報を表示部３０２に表示できるため、現金を厳正かつ正確に管理しつつ、顧客の支払金の入金及び釣銭の出金を行うことができる。
【０１５６】
上記第１〜第３の実施形態において、レジスタ３００の出力部３２４は、未出金釣銭情報を外付けディスプレイ等の外部装置へ出力してもよい。また、未出金釣銭情報は画面に表示するだけでなく、音声出力してもよい。
【０１５７】
また、上記第１〜第３の実施形態では、釣銭額の算出や未出金釣銭情報の出力をレジスタ３００が行っていたが、硬貨釣銭機１００や紙幣釣銭機２００が行ってもよい。つまり、釣銭算出部３２２及び出力部３２４の機能を硬貨釣銭機１００や紙幣釣銭機２００が備えるようにしてもよい。この場合、レジスタ３００は、購入金額及びキーボード３０４から手入力された入金情報を、硬貨釣銭機１００や紙幣釣銭機２００へ出力する。
【０１５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１５９】
１００  硬貨釣銭機
２００  紙幣釣銭機
３００  レジスタ
３１０  演算制御部
３２０  購入金額算出部
３２２  釣銭算出部
３２４  出力部
【図１】
2012190240.tif 000003
【図２】
2012190240.tif 000004
【図３】
2012190240.tif 000005
【図４】
2012190240.tif 000006
【図５】
2012190240.tif 000007
【図６】
2012190240.tif 000008
【図７】
2012190240.tif 000009
【図８】
2012190240.tif 000010
【図９】
2012190240.tif 000011
【図１０】
2012190240.tif 000012
【図１１】
2012190240.tif 000013
【図１２】
2012190240.tif 000014
【図１３】
2012190240.tif 000015